(57)【要約】【課題】従来の技術による諸問題を解決するため、プリセット設定値の予定を可能にし、使用者が選んだ信号ソース別に画像／音声プリセット設定値を切り替えることを可能にするマルチメディア再生装置及びその制御方法を提供する。【解決手段】マルチメディア再生装置は、複数の信号ソースに対応する複数のプリセット設定値を保存する保存ユニットと、保存ユニットに電気的に接続され、選ばれた目的信号ソースに応じて複数のプリセット設定値から一組の目的プリセット設定値を選出する制御モジュールと、制御モジュールに電気的に接続され、目的プリセット設定値に基づいて目的信号ソースからのマルチメディアデータを調整する処理モジュールとを含む。【選択図】図１
2007043634.tif 000002
【特許請求の範囲】
【請求項１】
選ばれた信号ソースに応じて画像／音声プリセット設定値を自動的に選択するマルチメディア再生装置であって、
複数の信号ソースに対応する複数のプリセット設定値を保存する保存ユニットと、
保存ユニットに電気的に接続され、選ばれた目的信号ソースに応じて複数のプリセット設定値から一組の目的プリセット設定値を選出する制御モジュールと、
制御モジュールに電気的に接続され、目的プリセット設定値に基づいて目的信号ソースからのマルチメディアデータを調整する処理モジュールとを含むことを特徴とするマルチメディア再生装置。
【請求項２】
前記プリセット設定値ごとに画像プリセット設定値と音声プリセット設定値が含まれ、そのうち処理モジュールは画像処理ユニットと音声処理ユニットを含み、画像処理ユニットは目的プリセット設定値における画像プリセット設定値に基づいてマルチメディアデータを調整し、音声処理ユニットは目的プリセット設定値における音声プリセット設定値に基づいてマルチメディアデータを調整することを特徴とする請求項１記載のマルチメディア再生装置。
【請求項３】
前記プリセット設定値ごとに音声プリセット設定値が含まれ、そのうち処理モジュールは音声処理ユニットを含み、音声処理ユニットは目的プリセット設定値における音声プリセット設定値に基づいてマルチメディアデータを調整することを特徴とする請求項１記載のマルチメディア再生装置。
【請求項４】
前記複数の信号ソースはそれぞれ複数のテレビチャンネルに対応することを特徴とする請求項１記載のマルチメディア再生装置。
【請求項５】
前記保存ユニットが携帯型であることを特徴とする請求項１記載のマルチメディア再生装置。
【請求項６】
前記制御モジュールは更に設定モードを開始するための設定信号を受信し、設定モードにおいて制御モジュールは保存ユニットに保存される複数のプリセット設定値を入力された画像／音声設定値に更新することを特徴とする請求項１記載のマルチメディア再生装置。
【請求項７】
選ばれた信号ソースに応じて画像／音声プリセット設定値を自動的に選択するマルチメディア再生装置を制御する方法であって、
複数の信号ソースに対応する複数のプリセット設定値を保存し、
選ばれた目的信号ソースに応じて複数のプリセット設定値から一組の目的プリセット設定値を選び、
目的プリセット設定値に基づいて目的信号ソースからのマルチメディアデータを調整するなどのステップを含むことを特徴とするマルチメディア再生装置を制御する方法。
【請求項８】
前記プリセット設定値ごとに画像プリセット設定値と音声プリセット設定値が含まれ、前記目的信号ソースからのマルチメディアデータを調整するステップは、目的プリセット設定値における画像プリセット設定値に基づいてマルチメディアデータを調整するとともに、更に目的プリセット設定値における音声プリセット設定値に基づいてマルチメディアデータを調整するものであることを特徴とする請求項７記載の方法。
【請求項９】
前記複数の信号ソースがそれぞれ複数のテレビチャンネルに対応することを特徴とする請求項７記載の方法。
【請求項１０】
前記複数の信号ソースに対応する複数のプリセット設定値を保存するステップは更に、複数のプリセット設定値を携帯型保存ユニットに保存するステップを含むことを特徴とする請求項７記載の方法。
【請求項１１】
前記方法は更に、
設定信号を受信して設定モードを開始し、入力された画像／音声設定値により保存ユニットに保存される複数のプリセット設定値を更新するステップを含むことを特徴とする請求項７記載の方法。
【発明の詳細な説明】
【技術分野】
【０００１】
この発明はマルチメディア再生装置とマルチメディアデータの再生方法に関し、特にプリセット設定値の保存を可能にし、使用者が選んだ信号ソース別に画像／音声プリセット設定値を切り替えることを可能にするマルチメディア再生装置及びその制御方法に関する。
【背景技術】
【０００２】
技術の発展にしたがい、マルチメディア再生装置の機能は日増しに増えてくる。例えばテレビは、複数のチャンネルを提供するのみならず、ＤＶＤレコーダーまたはビデオゲーム機と組み合わせて使用することも可能になっている。使用者はその望みに応じて、複数のチャンネルを鑑賞するか、または外部装置信号（例えばＡＶ端子信号）を受信するモードに切り替え、信号をテレビで出力するかを選ぶことができる。しかし、チャンネルの特性により表現のポイントが異なるのである。例えば音楽チャンネルは音響効果を重視し、それに対してスポーツチャンネルは画面の解像度に重点を置く。したがってチャンネルを切り替えるたび、最良の表現効果を求めるため、出力パラメーターを常に調整する必要があり、これは使用者にとって極めて不便である。
【発明の開示】
【発明が解決しようとする課題】
【０００３】
この発明は前述の問題を解決するため、プリセット設定値の保存を可能にし、使用者が選んだ信号ソース別に画像／音声プリセット設定値を切り替えることを可能にするマルチメディア再生装置及びその制御方法を提供することを課題とする。
【課題を解決するための手段】
【０００４】
この発明は、選ばれた信号ソースに応じて画像／音声プリセット設定値を自動的に選択するマルチメディア再生装置を提供する。該マルチメディア再生装置は、複数の信号ソースに対応する複数のプリセット設定値を保存する保存ユニットと、保存ユニットに電気的に接続され、選ばれた目的信号ソースに応じて複数のプリセット設定値から一組の目的プリセット設定値を選出する制御モジュールと、制御モジュールに電気的に接続され、目的プリセット設定値に基づいて目的信号ソースからのマルチメディアデータを調整する処理モジュールとを含む。
【０００５】
この発明は更に、選ばれた信号ソースに応じて画像／音声プリセット設定値を自動的に選択するマルチメディア再生装置を制御する方法を提供する。該方法は、複数の信号ソースに対応する複数のプリセット設定値を保存し、選ばれた目的信号ソースに応じて複数のプリセット設定値から一組の目的プリセット設定値を選び、目的プリセット設定値に基づいて目的信号ソースからのマルチメディアデータを調整するなどのステップを含む。
【発明の効果】
【０００６】
この発明によるマルチメディア再生装置とマルチメディア再生方法のもとにおいては、使用者は制御モジュールで好みの画像／音声設定値を予め設定することができる。これらの設定値は保存ユニットに保存され、使用者の選択により再生データが変わるたび、マルチメディア再生装置はそれぞれの要求に応じて最適の画像／音声設定値を自動的に選んでデータを再生することができる。これにより使用者は再生データごとに画像／音声設定値を変更する必要がなくなる。
【発明を実施するための最良の形態】
【０００７】
かかる装置と方法の特徴を詳述するために、具体的な実施例を挙げ、図示を参照にして以下に説明する。
【０００８】
図１を参照する。図１はこの発明によるマルチメディア再生装置１０のブロック図である。図１によれば、マルチメディア再生装置１０はレシーバー１００と、画像／音声分離ユニット９０と、処理モジュール２０と、制御モジュール５０と、保存ユニット６０と、表示装置７０と、スピーカー８０とを含む。そのうち処理モジュール２０は画像処理ユニット３０と音声処理ユニット４０を含む。マルチメディア再生装置１０の操作については以下の通りである。まず、レシーバー１００が目的信号ソース（例えばデジタルテレビ信号ソース）からのマルチメディアデータを受信して画像／音声分離ユニット９０に送信する。注意すべきなのは、この実施例においてはマルチメディア再生装置１０には１個のレシーバー１００のみ設けられているが、実際、規格の異なる信号ソースごとに複数のレシーバーを設けることも可能である。次に、画像／音声分離ユニット９０はマルチメディアデータを画像信号と音声信号として分離し、それぞれ処理モジュール２０の画像処理ユニット３０と音声処理ユニット４０に送信する。それに続いて、画像処理ユニット３０と音声処理ユニット４０は制御モジュール５０により受信された目的プリセット設定値に基づいて画像信号と音声信号を調整する。最後に、処理モジュール２０は調整された画像信号と音声信号をそれぞれ表示装置７０とスピーカー８０に送信して再生する。マルチメディア再生装置１０の制御モジュール５０は処理モジュール２０と保存ユニット６０に電気的に接続される。そのうち保存ユニット６０は複数の信号ソースに対応する複数のプリセット設定値Ｓ１−Ｓｎを保存するものであり、プリセット設定値ごとに一組の画像プリセット設定値Ｓｖと音声プリセット設定値ＳＡが含まれる。そのほか、制御モジュール５０は使用者が選んだ目的信号ソースに応じ、保存ユニット６０の複数のプリセット設定値Ｓ１−Ｓｎから相応する目的プリセット設定値を選択して処理モジュール２０の画像処理ユニット３０と音声処理ユニット４０に送信する。画像処理ユニット３０と音声処理ユニット４０はそれぞれ目的プリセット設定値における画像プリセット設定値Ｓｖと音声プリセット設定値ＳＡに基づいて画像信号と音声信号を調整する。
【０００９】
保存ユニット６０に保存される複数のプリセット設定値Ｓ１−Ｓｎは制御モジュール５０で更新することができる。使用者が制御モジュール５０に設定信号ＳＥＴを入力して設定モードを開始すれば、制御モジュール５０は保存ユニット６０のデータを使用者が入力した画像／音声設定値に更新する。これにより使用者はその望みに応じて、マルチメディア再生装置１０において信号ソースごとに異なる目的プリセット設定値（例えば各チャンネルの画像／音声設定値）を設定することができる。一方、使用者が信号ソースを切り替えれば、制御モジュール５０は切替信号ＳＷを受信し、保存ユニット６０内の複数のプリセット設定値Ｓ１−Ｓｎから目的信号ソースと対応する目的プリセット設定値を自動的に選択し、それを処理モジュール２０に送信し、これから表示装置７０とスピーカー８０により出力される予定のマルチメディアデータを調整する。したがって、信号ソースの切り替えによって画像／音声に対する要求が変われば、この実施例によるマルチメディア再生装置１０はそれに応じて、マルチメディアデータを再生するに最適の画像プリセット設定値Ｓｖと音声プリセット設定値ＳＡを自動的に選択することができる。
【００１０】
注意に値するのは、この実施例による保存ユニット６０は携帯型にすることも可能である。それゆえ、使用者があるマルチメディア再生装置１０において信号ソースごとに目的プリセット設定値を予定した後、その設定値を当該再生装置のみに使用するに限らない。言い換えれば、使用者は保存ユニット６０を携行して同じマルチメディア再生装置１０を有するその他の機器に使用することによって、再設定をせずに同じ設定値を利用することができる。保存ユニット６０はリムーバブルハードディスクドライブまたはメモリーカード（例えばＣＦカード）とすることが可能である。なお、保存ユニット６０は特定のメモリーに限らず、ＤＲＡＭを利用するもできる。この場合、マルチメディア再生装置１０のシャットダウン時に保存データを失わないように別途にＤＲＡＭに電気を供給しなければならない。これにより電気消費を必要とするが、製作コストを減少することができる。
【００１１】
図２を参照する。図２は図１におけるマルチメディア再生装置１０を利用するテレビ１１０とその周辺機器を表す説明図である。図２によれば、図１におけるマルチメディア再生装置１０はテレビ１１０に応用され、その内部回路を構成するものとされる。テレビ１１０は更に入力装置とされる制御パネル１３０とリモコン１２０を含む。使用者はテレビ１１０の入力装置（制御パネル１３０とリモコン１２０）で前記の設定信号ＳＥＴと切替信号ＳＷを入力することができる。入力装置はそのほかにも、チャンネル選択、画像／音声設定値（彩度、明度などの画像設定値またはステレオ、音声多重などの音声設定値）の入力ないし電源の入切などの選択を提供する。この実施例において、テレビ１１０はアンテナ１４０、ＤＶＤ／ＶＣＤレコーダー１５０、ビデオゲーム機１６０、有線テレビケーブル１７０などの信号ソースにつながっている。言い換えれば、この実施例においてテレビ１１０の信号ソースとしては、有線テレビの複数のチャンネル、無線テレビの複数のチャンネル、ＤＶＤ／ＶＣＤレコーダー１５０からの画像音声信号、ビデオゲーム機１６０からの画像音声信号などがある。使用者は制御パネル１３０とリモコン１２０で個人の好みにより、信号ソースごとにさまざまな画像／音声設定値を予め設定する（例えば音楽チャンネルに対して低音効果を強調するように設定する）ことができる。これによりテレビ１１０内のマルチメディア再生装置１０は設定データを保存ユニット６０に保存する。よってチャンネルまたは周辺機器などの信号ソースが切り替わるたびに、設定値はそれに応じて予定の設定値に自動的に切り替わる。注意すべきなのは、保存ユニット６０にある設定値はメーカーにより予め設定されることが可能である。例えば設定値をコンサートモード、シアターモードとして予めアレンジして保存ユニット６０に保存すれば、使用者はそれぞれのモードをチャンネルに関連付けるのみで、個々のパラメーターを設定せずに簡易に設定することができる。それと同じく、モード内のパラメーターのみ調整すれば、関連付けられているすべてのチャンネルに反映することとなる。
【００１２】
図３を参照する。図３は図１における保存ユニット６０のチャンネル番号と画像／音声設定値の対照表４００である。対照表４００におけるチャンネル番号欄はテレビチャンネルと周辺機器に対応するチャンネルを示す。対照表４００によれば、チャンネルごとにそれぞれ対応するモードがあり、そのいずれも自由に調整することができる。例えばチャンネル１を標準モードに、チャンネル２を映画モードに、チャンネル３をスポーツモードに、チャンネル４をコンサートモードにそれぞれ使用者の好みに応じて設定することが可能である。
【００１３】
図４と図１をあわせて参照する。図４は図１におけるマルチメディア再生装置１０の制御方法を表すフローチャートである。この方法は図１におけるマルチメディア再生装置１０に利用されるものである。この方法によれば、マルチメディア再生装置１０は画像／音声の要求に応じて、マルチメディアデータを再生するに最適の画像プリセット設定値Ｓｖと音声プリセット設定値ＳＡを選ぶことができる。その説明については以下の通りである。
ステップ２００：開始
ステップ２１０：レシーバー１００が信号ソースから信号を受信して画像／音声分離
ユニット４０に送信する
ステップ２２０：画像／音声分離ユニット９０が信号を画像信号と音声信号として分離
し、それぞれ処理モジュール２０の画像処理ユニット３０と音声処理
ユニット４０に送信する
ステップ２３０：制御モジュール５０が設定信号ＳＥＴを受信したか否かを判断する。
「はい」であればステップ２７０に、「いいえ」であればステップ
２４０に移行する
ステップ２４０：制御モジュール５０が切替信号ＳＷを受信したか否かを判断する。
「はい」であればステップ２５０に、「いいえ」であればステップ
３１０に移行する
ステップ２５０：選ばれた目的信号ソースに応じ、制御モジュール５０が保存ユニット
６０に保存される複数のプリセット設定値Ｓ１−Ｓｎから目的プリ
セット設定値を選ぶ
ステップ２６０：画像処理ユニット３０と音声処理ユニット４０が目的プリセット
設定値に基づいてそれぞれ画像信号と音声信号を調整して
表示装置７０とスピーカー８０に送信する
ステップ２７０：制御モジュール５０が設定モードに入る
ステップ２８０：制御モジュール５０が使用者によって制御パネル１３０または
リモコン１２０で入力されたプリセット設定値を受信する
ステップ２９０：制御モジュール５０が保存ユニット６０に保存される本来のプリ
セット設定値を新たなプリセット設定値に更新する
ステップ３００：制御モジュール５０が通常モードに戻る。ステップ２３０に戻る
ステップ３１０：終了
【００１４】
前記のようなマルチメディア再生装置１０と制御方法を利用すれば、設定がなされた後、マルチメディア再生装置１０は信号ソースが切り替わるたび、画像／音声に対する要求に応じて画像プリセット設定値Ｓｖと音声プリセット設定値ＳＡを自動的に選ぶことができる。それゆえ、別途に設定値をいちいち調整する必要がなくなり、従来の技術の不便さは解消される。前記の実施例においては、処理モジュール２０は画像処理モジュール３０と音声処理モジュール４０の両方とも含むとされているが、しかし、この発明はそれに限らず、即ち、この発明によるマルチメディア再生装置１０の処理モジュール２０は画像処理モジュール３０と音声処理モジュール４０のいずれかのみ具えることが可能である。例えば音声処理ユニット４０のみ具えたマルチメディア再生装置４０は、ステレオに利用することができる。その操作については前記マルチメディア再生装置１０と一致しているので、ここでその説明を省略することにする。
【００１５】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００１６】
この発明によるマルチメディア再生装置とマルチメディア再生方法のもとにおいては、使用者は制御モジュールで好みの画像／音声設定値を予め設定することができる。これらの設定値は保存ユニットに保存され、使用者の選択により再生データが変わるたび、マルチメディア再生装置はそれぞれの要求に応じて最適の画像／音声設定値を選んでデータを再生することができる。
【図面の簡単な説明】
【００１７】
【図１】この発明によるマルチメディア再生装置のブロック図である。
【図２】図１におけるマルチメディア再生装置を利用するテレビとその周辺機器を表す説明図である。
【図３】図１における保存ユニットのチャンネル番号と画像／音声設定値の対照表である。
【図４】図１におけるマルチメディア再生装置の制御方法を表すフローチャートである。
【符号の説明】
【００１８】
１０        マルチメディア再生装置
２０        処理モジュール
３０        画像処理ユニット
４０        音声処理ユニット
５０        制御モジュール
６０        保存ユニット
７０        表示装置
８０        スピーカー
９０        画像／音声分離ユニット
１００      レシーバー
１１０      テレビ
１２０      リモコン
１３０      制御パネル
１４０      アンテナ
１５０      ＤＶＤ／ＶＣＤレコーダー
１６０      ビデオゲーム機
１７０      有線テレビケーブル
【図１】
2007043634.tif 000003
【図２】
2007043634.tif 000004
【図３】
2007043634.tif 000005
【図４】
2007043634.tif 000006